(57)【要約】【課題】被写界深度の異なる２つのスキャナーユニットを選択的に搭載可能なフレーム構成とした画像読取装置及びそれを備えた画像形成装置を提供する。【解決手段】スキャナーユニット６１の主走査方向に対し下フレーム６０ａの中央部には、キャリッジ６２の主走査方向の位置を規制するガイド軸６３と、キャリッジ６２が固定される駆動ベルト６５がスキャナーユニット６１の副走査方向に沿って配置されている。また、ガイド軸６３を中心として下フレーム６０ａの主走査方向の両端部には、キャリッジ６２を摺動可能に支持するレール部６７ａ、６７ｂが形成されている。下フレーム６０ａは、ＣＣＤセンサー方式のスキャナーユニット６１を保持するキャリッジ６２と、ＣＩＳセンサー方式のスキャナーユニット８１を保持するキャリッジ８２とを選択的に搭載可能となっている。【選択図】図５
2013236304.tif 000002
【特許請求の範囲】
【請求項１】
原稿を載置するコンタクトガラスと、
該コンタクトガラスの下部に配置され、前記コンタクトガラス上に載置された原稿画像を副走査方向に走査して読み取るスキャナーユニットと、
該スキャナーユニットを保持するキャリッジと、
該キャリッジを副走査方向に往復移動可能に支持するベースフレームと、
を備えた画像読取装置において、
前記ベースフレームには、前記キャリッジの移動方向に沿って延在し、前記キャリッジの主走査方向の略中央部に摺動可能に係合することにより前記スキャナーユニットの主走査方向のみを位置規制するガイド軸と、前記キャリッジの主走査方向の両端部を摺動可能に支持する一対のレール部と、が設けられており、
前記スキャナーユニットとして、原稿画像に対し所定の被写界深度を有する第１のスキャナーユニットと、該第１のスキャナーユニットよりも被写界深度が小さい第２のスキャナーユニットとを選択的に搭載可能であり、
前記第１のスキャナーユニットは前記コンタクトガラスと所定の間隔を隔てて前記キャリッジ上に保持され、前記第２のスキャナーユニットは前記キャリッジ上に設けられた付勢部材によって前記コンタクトガラスに圧接された状態で保持されることを特徴とする画像読取装置。
【請求項２】
前記ガイド軸は軸方向から見た断面が円形であり、前記キャリッジの主走査方向の略中央部には、前記ガイド軸の外周面に主走査方向の両側から当接する規制部が設けられており、前記規制部と前記ガイド軸の上端面との間には隙間が形成されることを特徴とする請求項１に記載の画像読取装置。
【請求項３】
前記キャリッジの下面の前記レール部と対向する位置には、前記レール部との当接面が曲面状である第１摺動突部が設けられることを特徴とする請求項１又は請求項２に記載の画像読取装置。
【請求項４】
前記第２のスキャナーユニットの上面には、前記コンタクトガラスとの当接面が曲面状である第２摺動突部が設けられることを特徴とする請求項１乃至請求項３のいずれかに記載の画像読取装置。
【請求項５】
請求項１乃至請求項４のいずれかに記載の画像読取装置が搭載された画像形成装置。
【発明の詳細な説明】
【技術分野】
【０００１】
本発明は、デジタル複写機やイメージスキャナー等に用いられる、原稿を走査して読み取る画像読取装置及びそれを備えた画像形成装置に関するものである。
【背景技術】
【０００２】
従来、電子写真プロセスを用いた複合機等に搭載される画像読取装置には、シート状の原稿を読み取るために順次原稿載置台（コンタクトガラス）へ送り込み、読み取り終了後に原稿載置台上から排出するような原稿搬送装置（Automatic Document Feeder、原稿搬送手段）を備えたものがある。このような画像読取装置においては、原稿押さえを閉じたままで原稿搬送装置によって原稿を自動的に搬送して読み取るシートスルー方式と、読み取る毎に原稿押さえを開閉して原稿載置台上の原稿を１枚ずつ取り替えて光学系（走査手段）を移動させて原稿を読み取る原稿固定方式の２種類の読み取り方式が可能である。なお、前者のシートスルー方式では、画像読取装置内の光学系が走査移動することなく所定の画像読取位置に保持されたまま原稿の読取動作が行われ、他方、後者の原稿固定方式では、その光学系が走査移動しながら読取動作が行われる。
【０００３】
このような画像読取装置の読取方式として、ＣＭＯＳ（Complementary MOS）センサーと呼ばれる光電変換素子を使用したＣＩＳセンサー方式と、ＣＣＤ（Charge Coupled Devices）センサーと呼ばれる電荷結合素子を使用したＣＣＤセンサー方式がある。
【０００４】
ＣＩＳセンサー方式は、ＣＣＤセンサー方式で必要なミラーが不要であるため、ＣＩＳセンサーを搭載するスキャナーユニットを薄型化することができ、構造が簡単であるため低コストであるというメリットを有する。その反面、ＣＩＳセンサーはＣＣＤセンサーに比べて被写界深度が非常に小さいため、ブック原稿や凹凸のある原稿を均一に読み取れないというデメリットを有する。
【０００５】
一方、ＣＣＤセンサー方式は、被写界深度が大きく奥行きのある原稿でもピントが合いやすいため、ブック原稿や凹凸のある原稿がコンタクトガラスに密着していなくても均一な読み取りが可能であり、読み取り（スキャン）速度も速いというメリットを有する。その反面、ＣＣＤセンサーを搭載するスキャナーユニットの構造が複雑で大型化し、コストも高くなるというデメリットを有する。
【０００６】
そのため、それぞれのセンサーが搭載されるスキャナーユニットを支持するフレーム構成も異なっていた。例えば、ＣＩＳセンサー方式ではその被写界深度の狭さから原稿との距離を高精度で維持する必要があるため、特許文献１に開示されるように、フレームに設けられたガイド部材によってスキャナーユニットの主走査方向の位置決めを行い、バネを用いてスキャナーユニットをコンタクトガラスの裏面に密着させた状態で副走査方向に移動させる構成をとることが多かった。また、特許文献１には、ＣＩＳユニットの反り形状と同一形状に原稿台ガラスを反らせることにより、センサーと原稿台ガラスとの距離を全ての箇所で一定にすることも記載されている。
【０００７】
一方、ＣＣＤセンサー方式ではフレーム前後方向の片側にスキャナーユニットのガイド部材を設け、反対側にスキャナーユニットが接触しながら摺動するレールを設けて主走査方向の位置決めを行う場合が多かった。
【先行技術文献】
【特許文献】
【０００８】
【特許文献１】特開２０００−１３８８０３号公報
【発明の概要】
【発明が解決しようとする課題】
【０００９】
上記のように異なるセンサーを製品の仕様に応じて使い分ける場合、当初からＣＩＳセンサー方式とＣＣＤセンサー方式の両方のスキャナーユニットを使用することを前提として、画像読取装置のフレームを共用できるように設計しておくことが望ましい。
【００１０】
本発明は、上記問題点に鑑み、被写界深度の異なる２つのスキャナーユニットを選択的に搭載可能なフレーム構成とした画像読取装置及びそれを備えた画像形成装置を提供することを目的とする。
【課題を解決するための手段】
【００１１】
上記目的を達成するために本発明は、原稿を載置するコンタクトガラスと、該コンタクトガラスの下部に配置され、前記コンタクトガラス上に載置された原稿画像を副走査方向に走査して読み取るスキャナーユニットと、該スキャナーユニットを保持するキャリッジと、該キャリッジを副走査方向に往復移動可能に支持するベースフレームと、を備えた画像読取装置において、前記ベースフレームには、前記キャリッジの移動方向に沿って延在し、前記キャリッジの主走査方向の略中央部に摺動可能に係合することにより前記スキャナーユニットの主走査方向のみを位置規制するガイド軸と、前記キャリッジの主走査方向の両端部を摺動可能に支持する一対のレール部と、が設けられており、前記スキャナーユニットとして、原稿画像に対し所定の被写界深度を有する第１のスキャナーユニットと、該第１のスキャナーユニットよりも被写界深度が小さい第２のスキャナーユニットとを選択的に搭載可能であり、前記第１のスキャナーユニットは前記コンタクトガラスと所定の間隔を隔てて前記キャリッジ上に保持され、前記第２のスキャナーユニットは前記キャリッジ上に設けられた付勢部材によって前記コンタクトガラスに圧接された状態で保持されることを特徴としている。
【００１２】
また本発明は、上記構成の画像読取装置において、前記ガイド軸は軸方向から見た断面が円形であり、前記キャリッジの主走査方向の略中央部には、前記ガイド軸の外周面に主走査方向の両側から当接する規制部が設けられており、前記規制部と前記ガイド軸の上端面との間には隙間が形成されることを特徴としている。
【００１３】
また本発明は、上記構成の画像読取装置において、前記キャリッジの下面の前記レール部と対向する位置には、前記レール部との当接面が曲面状である第１摺動突部が設けられることを特徴としている。
【００１４】
また本発明は、上記構成の画像読取装置において、前記第２のスキャナーユニットの上面には、前記コンタクトガラスとの当接面が曲面状である第２摺動突部が設けられることを特徴としている。
【００１５】
また本発明は、上記構成の画像読取装置が搭載された画像形成装置である。
【発明の効果】
【００１６】
本発明の第１の構成によれば、スキャナーユニットが保持されるキャリッジはガイド軸によって主走査方向のみが位置規制されるため、第１のスキャナーユニットを搭載する場合は一対のレール部によってキャリッジが上下方向に位置規制され、第１のスキャナーユニットはコンタクトガラスと所定の間隔を隔てて保持される。また、第２のスキャナーユニットを搭載する場合はキャリッジ上に設けられた付勢部材によって第２のスキャナーユニットがコンタクトガラスに圧接された状態で保持されるため、被写界深度が小さい第２のスキャナーユニットとコンタクトガラスとの距離が精度良く保持される。従って、被写界深度の異なる２つのスキャナーユニットを、読み取り性能を低下させることなく共通のベースフレームに選択的に搭載することができる画像読取装置となる。
【００１７】
また、本発明の第２の構成によれば、上記第１の構成の画像読取装置において、ガイド軸は軸方向から見た断面が円形であり、キャリッジの主走査方向の略中央部には、ガイド軸の外周面に主走査方向の両側から当接する規制部が設けられており、規制部とガイド軸の上端面との間には隙間が形成されるようにしたので、ガイド軸によってキャリッジの主走査方向のみを簡単に位置規制することができ、キャリッジとガイド軸との摺動性も向上する。
【００１８】
また、本発明の第３の構成によれば、上記第１又は第２の構成の画像読取装置において、キャリッジの下面のレール部と対向する位置に、レール部との当接面が曲面状である第１摺動突部を設けることにより、キャリッジの下面とレール部との摩擦を低減してキャリッジをより円滑に移動させることができる。
【００１９】
また、本発明の第４の構成によれば、上記第１乃至第３のいずれかの構成の画像読取装置において、第２のスキャナーユニットの上面に、コンタクトガラスとの当接面が曲面状である第２摺動突部を設けることにより、第２のスキャナーユニットの上面とコンタクトガラスとの摩擦を低減して第２のスキャナーユニットをより円滑に移動させることができる。
【００２０】
また、本発明の第５の構成によれば、上記第１乃至第４のいずれかの構成の画像読取装置を搭載することにより、原稿の読取方式の異なる画像読取装置を備えた画像形成装置を簡易且つ低コストで提供することができる。
【図面の簡単な説明】
【００２１】
【図１】本発明の画像読取部６を備えた画像形成装置１００の全体構成を示す側面断面図
【図２】画像読取部６に原稿を自動搬送する原稿搬送装置２７の内部構造を示す側面断面図
【図３】本発明の第１実施形態に係る画像読取部６を正面側から見た断面図
【図４】第１実施形態の画像読取部６内のスキャナーユニット６１の内部構造を示す拡大断面図
【図５】第１実施形態の画像読取部６の上フレーム６０ｂを取り外した状態を上方から見た斜視図
【図６】第１実施形態の画像読取部６の、スキャナーユニット６１の主走査方向における下フレーム６０ａの部分断面図であり、図５のＸ１−Ｘ１断面を示す図
【図７】第１実施形態の画像読取部６の、スキャナーユニット６１の主走査方向における下フレーム６０ａの部分断面図であり、図５のＸ２−Ｘ２断面を示す図
【図８】第１実施形態の画像読取部６の、スキャナーユニット６１の主走査方向における下フレーム６０ａの部分断面図であり、図５のＸ３−Ｘ３断面を示す図
【図９】本発明の第２実施形態に係る画像読取部６の上フレーム６０ｂを取り外した状態を上方から見た斜視図
【図１０】第２実施形態の画像読取部６の、スキャナーユニット８１の主走査方向における下フレーム６０ａの部分断面図であり、図９のＹ１−Ｙ１断面を示す図
【図１１】第２実施形態の画像読取部６の、スキャナーユニット８１の主走査方向における下フレーム６０ａの部分断面図であり、図９のＹ２−Ｙ２断面を示す図
【図１２】第２実施形態の画像読取部６の、スキャナーユニット８１の主走査方向における下フレーム６０ａの部分断面図であり、図９のＹ３−Ｙ３断面を示す図
【発明を実施するための形態】
【００２２】
以下、図面を参照しながら本発明の実施形態について説明する。図１は、本発明の一実施形態に係る画像読取部６を備えた画像形成装置１００の概略構成図である。図１において、画像形成装置１００（ここでは一例としてデジタル複合機を示す）では、コピー動作を行う場合、後述する画像読取部６において原稿の画像データを読み取り画像信号に変換する。一方、複合機本体２内の画像形成部３において、帯電ユニット４により図中のＡ方向に回転する感光体ドラム５が一様に帯電され、画像読取部６で読み取られた原稿画像データに基づく露光ユニット（レーザー走査ユニット等）７からのレーザービームにより感光体ドラム５上に静電潜像が形成され、現像ユニット８により静電潜像に現像剤（以下、トナーという）が付着されてトナー像が形成される。この現像ユニット８へのトナーの供給はトナーコンテナ９から行われる。
【００２３】
上記のようにトナー像が形成された感光体ドラム５に向けて、用紙が給紙機構１０から用紙搬送路１１及びレジストローラー対１２を経由して画像形成部３に搬送され、この画像形成部３において転写ローラー１３（画像転写部）により感光体ドラム５の表面におけるトナー像が用紙に転写される。そして、トナー像が転写された用紙は感光体ドラム５から分離され、定着ローラー対１４ａを有する定着部１４に搬送されてトナー像が定着される。定着部１４を通過した用紙は、複数方向に分岐した用紙搬送路１５に送られて、用紙搬送路１５の分岐点に設けられた複数の経路切換ガイドを有する経路切換機構２１、２２によって用紙の搬送方向が振り分けられ、そのまま（或いは、用紙搬送路１６に送られて両面コピーされた後に）、第１排出トレイ１７ａ、第２排出トレイ１７ｂから成る用紙排出部に排出される。
【００２４】
また、図示しないが、感光体ドラム５の表面の残留電荷を除去する除電装置がクリーニング装置１８の下流側に設けられている。さらに、給紙機構１０は、複合機本体２に着脱自在に取り付けられ、用紙を収納する複数の給紙カセット１０ａ、１０ｂと、その上方に設けられるスタックバイパス（手差しトレイ）１０ｃと、を備えてなり、これらは用紙搬送路１１によって感光体ドラム５及び現像ユニット８等からなる画像形成部３に繋がっている。
【００２５】
複合機本体２の上部には、画像読取部６が配置されており、複合機本体２の上面には画像読取部６のコンタクトガラス２５（図３参照）上に載置される原稿を押さえて保持するプラテン（原稿押さえ）２４が開閉可能に設けられており、プラテン２４上には原稿搬送装置２７が付設されている。
【００２６】
用紙搬送路１５は、具体的には、定着ローラー対１４ａの下流側において、まず左右二股に分岐し、一方の経路（図１では右方向に分岐する経路）は第１排出トレイ１７ａに連通するように構成されている。そして、他方の経路（図１では左方向に分岐する経路）は搬送ローラー対１９を経由して二股に分岐し、一方の経路（図１では左方向に分岐する経路）は第２排出トレイ１７ｂに連通するように構成されている。これに対し、他方の経路（図１では下方向に分岐する経路）は反転搬送路１６に連通するように構成されている。
【００２７】
図２は、画像読取部６に原稿を自動搬送する原稿搬送装置２７の内部構造を示す側面断面図である。カバー部材３１内には、原稿給紙トレイ２９から原稿排出トレイ３２に至る原稿搬送路ｄが形成されており、原稿搬送路ｄに沿ってピックアップローラー３３、給紙ベルト３４及び分離ローラー３５、レジストローラー対３６、搬送ローラー対３７、３８、３９、及び４０、ＣＩＳローラー４１、反転ローラー対４２、排出ローラー対４３等から成る原稿搬送部材が設けられている。
【００２８】
給紙ベルト３４は駆動ローラー４４ａと従動ローラー４４ｂに掛け回されており、下方から分離ローラー３５が所定の圧力で接触している。分離ローラー３５にはトルクリミッターが内蔵されており、回転負荷が所定トルクを下回る場合のみ給紙ベルト３４と逆方向に回転し、回転負荷が所定トルクを上回る場合には給紙ベルト３４と従動回転するようになっている。ピックアップローラー３３の上方には原稿の上面位置を検知する上面検知センサー５０が配置されている。
【００２９】
コンタクトガラス２５は、自動読取用ガラス２５ａと手置き原稿用ガラス２５ｂから成り、自動読取用ガラス２５ａに対向して配置されたシェーディング補正用の白基準板と、白基準板の上部にあって白基準板を自動読取用ガラス２５ａに向けて押圧するための原稿押圧部（いずれも図示せず）とが設けられている。なお、原稿搬送路ｄはレジストローラー対３６から自動読取用ガラス２５ａに至る間において反転するように湾曲している。また、原稿搬送路ｄには、原稿の存否或いは通過を検知するための給紙センサーＳ１、排出センサーＳ２を含む複数の用紙検知センサーが適所に設けられている。
【００３０】
次に、原稿搬送装置２７を用いたシートスルー方式の原稿搬送動作について説明する。シートスルー方式においては、原稿給紙トレイ２９に画像面を上向きにして複数枚の原稿をセットした後、画像形成装置１００の操作パネル５５（図１参照）のコピー開始ボタンがオンされると、昇降機構（図示せず）により上昇したリフト板４５が原稿を介してピックアップローラー３３を押し上げ、ピックアップローラー３３を含む枠体（図示せず）の重さがリフト板４５に加わることにより、原稿の上面が所定の圧力（給紙圧）でピックアップローラー３３に押しつけられる。
【００３１】
ここで、ピックアップローラー３３、駆動ローラー４４ａ、従動ローラー４４ｂ及び給紙ベルト３４は、図示しない枠体に配置されている。また、ピックアップローラー３３は駆動ローラー４４ａと不図示のギアで連結されており、ローラー駆動モーター（図示せず）により駆動ローラー４４ａが回転すると、駆動ローラー４４ａと従動ローラー４４ｂとにより張架された給紙ベルト３４が回転駆動されると共に、ピックアップローラー３３も回転駆動される。
【００３２】
原稿給紙トレイ２９にセットされた原稿は、ピックアップローラー３３によって通常上段の複数枚が給紙ベルト３４と分離ローラー３５のニップ部に送られる。そして、複数枚の原稿のうち分離ローラー３５により最上の１枚のみが分離されてレジストローラー対３６に向けて搬送される。その際、原稿の先端が給紙センサーＳ１によって検出されてから所定の距離だけその原稿が搬送された後、ローラー駆動モーターの作動停止によってピックアップローラー３３及び給紙ベルト３４の回転駆動が停止され一次給紙が終了する。一次給紙された原稿は、その先端がレジストローラー対３６のニップ部に撓みが形成された状態で停止させられる。
【００３３】
一次給紙が終了してから所定時間経過後、二次給紙が開始される。つまり、二次給紙駆動モーター（図示せず）の作動によりレジストローラー対３６が回転駆動される。原稿は、レジストローラー対３６、搬送ローラー対３７〜３９、ＣＩＳローラー４１により、自動読取用ガラス２５ａを経て排出ローラー対４３に向けて搬送された後、最終的には排出ローラー対４３によって原稿排出トレイ３２上に排出される。その際、排出センサーＳ２により原稿の後端通過を検知したことによって、原稿１枚の画像読み取りの完了を検出するようになっている。
【００３４】
ここで排出センサーＳ２は、原稿の搬送完了毎に原稿枚数を計数するカウント機能を有しており、給紙センサーＳ１が後続の原稿を検知していれば、２枚目以降の原稿搬送が上記と同様に続行される。なお、原稿は、自動読取用ガラス２５ａを通過する際に、搬送ガイド５３と当接することによって上方からその原稿の画像が自動読取用ガラス２５ａを通じて画像読取部６（図１参照）により読み取られるようになっている。
【００３５】
また、両面原稿を読み取る場合は、ＣＩＳローラー４１に対向して設けられたコンタクトイメージセンサー５１で原稿裏面の画像を読み取り、自動読取用ガラス２５ａで原稿表面の画像を読み取る一段階読み取り法と、自動読取用ガラス２５ａで原稿表面の画像を読み取った後、分岐爪４７ａ、４７ｂ、及び４７ｃにより原稿を反転トレイ３０に振り分け、反転ローラー対４２を逆転させて、原稿の裏面を上にした状態で再びレジストローラー対３６の上流側に搬送し、自動読取用ガラス２５ａで原稿裏面の画像を読み取る二段階読み取り法とがある。
【００３６】
コンタクトイメージセンサー５１による読み取りは読み取り時間が短縮できる反面、自動読取用ガラス２５ａでの読み取りに比べて画質の面で劣る。そのため、文字原稿などの場合はコンタクトイメージセンサー５１を用いた一段階読み取り法を用い、写真原稿など高画質、高精細な読み取りが要求される場合は反転トレイ３０を用いた二段階読み取り法を用いることが好ましい。
【００３７】
なお、二段階読み取り法を用いる場合、読み取り終了後の原稿をそのまま原稿排出トレイ３２に順次排出すると、排出された原稿は原稿給紙トレイ２９にセットした状態と表裏が逆になって積載されることになる。そこで、自動読取用ガラス２５ａで原稿裏面の画像を読み取った後、分岐爪４７ａ〜４７ｃを揺動させて原稿を再び反転トレイ３０上へ導入し、搬送ローラー対４０及び排出ローラー対４３を介して原稿排出トレイ３２へ排出する。これにより、各原稿の表裏が排出前にもう一度反転されるため、原稿給紙トレイ２９にセットした状態を保持したまま原稿排出トレイ３２上へ積載することができる。
【００３８】
続いて、原稿の画像を電気信号として読み取るための画像読取部６の構成について説明する。図３は、本発明の第１実施形態に係る画像読取部６を正面側から見た断面図、図４は、図３の画像読取部６内のスキャナーユニット６１の内部構造を示す拡大断面図、図５は、画像読取部６から上フレーム６０ｂを取り外した状態を上方から見た斜視図である。本実施形態においては、画像読取部６にＣＣＤセンサー方式のスキャナーユニット６１を搭載した例について示している。
【００３９】
図３〜図５に示すように、画像読取部６は、下フレーム６０ａと上フレーム６０ｂとから成る筐体６０と、スキャナーユニット６１と、スキャナーユニット６１を保持するとともに筐体６０内を副走査方向（矢印ＡＢ方向）に往復移動可能に設けられたキャリッジ６２とを有する。上フレーム６０ｂの上面には自動読取用ガラス２５ａと手置き原稿用ガラス２５ｂから成るコンタクトガラス２５が設置されている。
【００４０】
スキャナーユニット６１の主走査方向（矢印Ｃ方向）に対し下フレーム６０ａの略中央部には、キャリッジ６２の主走査方向（矢印Ｃ方向）の位置を規制するガイド軸６３と、キャリッジ６２が固定される無端状の駆動ベルト６５がスキャナーユニット６１の副走査方向に沿って配置されている。また、ガイド軸６３を中心として下フレーム６０ａの主走査方向の両端部には、キャリッジ６２を摺動可能に支持するレール部６７ａ、６７ｂが形成されている。パルスモーター等のモーター６６（図９参照）からの駆動力が駆動ベルト６５に伝達されると、駆動ベルト６５が回動し、キャリッジ６２と共にスキャナーユニット６１がガイド軸６３及びレール部６７ａ、６７ｂに沿って矢印Ａ、Ｂ方向に往復移動する。
【００４１】
図４に示すように、スキャナーユニット６１には、光源７０と、複数のミラー７１と、複数のレンズから構成される集光レンズ７３と、読取手段としてのＣＣＤセンサー７５が備えられており、図４の一点鎖線矢印で示すように、光源７０から照射された光が原稿（図示せず）により反射され、複数のミラー７１によって光路が変更された後、集光レンズ７３により集光され、ＣＣＤセンサー７５に導かれるようになっている。なお、ＣＣＤセンサー７５はＣＣＤ基板７５ａに支持されている。また、スキャナーユニット６１は、白基準板（不図示）の直下をホームポジションとしている。
【００４２】
上記構成においては、原稿固定方式で原稿画像を読み取る場合、先ず、原稿（図示せず）を手置き原稿用ガラス２５ｂ上に画像面を下向きにして載置する。そして、光源７０からの光Ｄにより原稿の画像面を照射しながら、スキャナーユニット６１をスキャナホーム側（図３の左側）からスキャナリターン側（図３の右側）へ、所定の速度で矢印Ａ方向に移動させる。その結果、画像面で反射された光Ｄは画像光となってＣＣＤセンサー７５上に結像される。結像された画像光ＤはＣＣＤセンサー７５において画素分解され、各画素の濃度に応じた電気信号に変換されて画像の読み取りが行われる。
【００４３】
一方、シートスルー方式で原稿画像を読み取る場合は、スキャナーユニット６１を自動読取用ガラス２５ａの画像読取領域（画像読取位置）の直下（図４の位置）に移動させる。そして、原稿搬送装置２７によって自動読取用ガラス２５ａに向けて軽く押圧されながら順次搬送される原稿の画像面を光源７０からの光Ｄで照射しながら、画像面で反射された画像光をＣＣＤセンサー７５上に結像させて画像の読み取りが行われる。
【００４４】
次に、本実施形態の画像読取部６におけるスキャナーユニット６１の支持構造について説明する。図６〜図８は、スキャナーユニット６１の主走査方向における下フレーム６０ａの部分断面図であり、それぞれ図５における主走査方向中央部の断面（Ｘ１−Ｘ１断面）、主走査方向左端部の断面（Ｘ２−Ｘ２断面）、及び、主走査方向右端部の断面（Ｘ３−Ｘ３断面）を示している。なお、説明の便宜のために、スキャナーユニット６１とキャリッジ６２も断面を示している。
【００４５】
図６に示すように、キャリッジ６２の中央下部には下方に向かって開口したコ字状の規制部７７が設けられており、規制部７７が下フレーム６０ａに配置されたガイド軸６３と係合することにより、キャリッジ６２の主走査方向（矢印Ｃ方向）の位置が規制されている。なお、ガイド軸６３の上面と規制部７７との間には所定のクリアランスＦが設けられているため、規制部７７はキャリッジ６２の上下方向の位置を規制していない。
【００４６】
また、図７及び図８に示すように、主走査方向（矢印Ｃ方向）の両端部におけるキャリッジ６２の下面には、下フレーム６０ａに形成されたレール部６７ａ、６７ｂと対向する位置に第１摺動突部８０が設けられている。第１摺動突部８０はレール部６７ａ、６７ｂとの接触面が曲面状となっており、レール部６７ａ、６７ｂと第１摺動突部８０が摺動しながらキャリッジ６２が副走査方向（矢印ＡＢ方向）に往復移動する。
【００４７】
即ち、スキャナーユニット６１は、キャリッジ６２の規制部７７とガイド軸６３との係合によって主走査方向の位置が規制され、キャリッジ６２の第１摺動突部８０とレール部６７ａ、６７ｂとの当接によって上下方向の位置が規制されている。この構成により、スキャナーユニット６１は主走査方向の所定位置を維持しながら副走査方向に移動して画像の読み取りを行うことができる。
【００４８】
なお、ＣＣＤセンサー方式のスキャナーユニット６１では、被写界深度を大きく取れるため、スキャナーユニット６１の上面はコンタクトガラス２５の下面と接触しておらず、スキャナーユニット６１はコンタクトガラス２５（原稿画像面）と一定の間隔Ｈを隔てた状態で副走査方向（矢印ＡＢ方向）に往復移動する。
【００４９】
図９は、本発明の第２実施形態に係る画像読取部６から上フレーム６０ｂを取り外した状態を上方から見た斜視図であり、図１０〜図１２は、本実施形態の画像読取部６に搭載されるスキャナーユニット８１の主走査方向における下フレーム６０ａの部分断面図であり、それぞれ図９におけるＹ１−Ｙ１断面、Ｙ２−Ｙ２断面、Ｙ３−Ｙ３断面を示している。本実施形態においては、画像読取部６にＣＩＳセンサー方式のスキャナーユニット８１を搭載した例について示している。なお、説明の便宜のために、図１０〜図１２ではスキャナーユニット８１とスキャナーユニット８１を支持するキャリッジ８２も断面を示している。
【００５０】
本実施形態の画像読取部６に用いる下フレーム６０ｂ及び上フレーム６０ｂの構成、キャリッジ８２の駆動機構については第１実施形態と同様であるため説明を省略する。また、スキャナーユニット８１の内部構成については記載を省略するが、図３に示したＣＣＤセンサー方式のスキャナーユニット６１とは異なり、光源からの光Ｄが画像面で反射された画像光を、ミラーを経由せずに直接ＣＩＳセンサーに結像させるようになっている。
【００５１】
図１０に示すように、キャリッジ８２の中央下部には下方に向かって開口したコ字状の規制部７７が設けられており、規制部７７が下フレーム６０ａに配置されたガイド軸６３と係合することにより、キャリッジ８２の主走査方向（矢印Ｃ方向）の位置が規制されている。なお、ガイド軸６３の上面と規制部７７との間には所定のクリアランスＦが設けられているため、規制部７７はキャリッジ８２の上下方向の位置を規制していない。
【００５２】
図１１及び図１２に示すように、主走査方向（矢印Ｃ方向）の両端部におけるキャリッジ８２の下面には、下フレーム６０ａに形成されたレール部６７ａ、６７ｂと対向する位置に第１摺動突部８０が設けられている。また、スキャナーユニット８１の上面には第２摺動突部８３が設けられている。さらに、スキャナーユニット８１の主走査方向の両端部近傍には、スキャナーユニット８１の下面とキャリッジ８２の底面との間にコイルバネ８５が配置されており、スキャナーユニット８１はコイルバネ８５によって上方向へ付勢され、第２摺動突部８３はコンタクトガラス２５の下面に圧接されている。
【００５３】
即ち、スキャナーユニット８１は、キャリッジ８２の規制部７７とガイド軸６３との係合によって主走査方向の位置が規制され、第２摺動突部８３とコンタクトガラス２５との当接によって上下方向の位置が規制されており、コンタクトガラス２５（原稿画像面）に当接した状態で副走査方向に往復移動可能となっている。この構成により、被写界深度が小さいＣＩＳセンサー方式のスキャナーユニット８１とコンタクトガラス２５（原稿画像面）との距離が精度良く保持されるため、原稿画像を均一に読み取り可能となる。
【００５４】
また、スキャナーユニット８１の上面にコンタクトガラス２５と摺動する第２摺動突部８３を設けることにより、スキャナーユニット８１をより円滑に副走査方向に往復移動させることができる。
【００５５】
以上説明したように、本発明の画像読取部６では、被写界深度が大きいＣＣＤセンサー方式のスキャナーユニット６１と、被写界深度が小さいＣＩＳセンサー方式のスキャナーユニット８１とを共通の構成の下フレーム６０ａに搭載することができる。従って、同一の下フレーム６０ａ（筐体６０）を用いて複数の製品仕様に対応可能となり、部品点数を削減できるとともに部品管理の負担も軽減される。
【００５６】
その他本発明は、上記各実施形態に限定されず、本発明の趣旨を逸脱しない範囲で種々の変更が可能である。例えば、上記各実施形態に示したキャリッジ６２、８２の駆動機構の構成は一例に過ぎず、駆動ベルト６５とモーター６６に代えて他の駆動機構を用いることもできる。
【００５７】
また、上記各実施形態では、本発明の画像読取装置として、画像形成装置１００に搭載される画像読取部６を例に挙げて説明したが、画像形成装置１００と別体で用いられるイメージスキャナーにも全く同様に適用することができる。
【産業上の利用可能性】
【００５８】
本発明は、原稿を走査して読み取るスキャナーユニットを備えた画像読取装置に利用可能である。本発明の利用により、被写界深度の異なる２つのスキャナーユニットを共通のベースフレームに搭載可能となり、スキャナーユニットの異なる複数の製品仕様に対応可能な画像読取装置を簡易な構成で提供することができる。
【符号の説明】
【００５９】
６                画像読取部（画像読取装置）
２５              コンタクトガラス
２５ａ            自動読取用ガラス
２５ｂ            手置き原稿用ガラス
２７              原稿搬送装置
６０ａ            下フレーム（ベースフレーム）
６０ｂ            上フレーム
６１              スキャナーユニット（第１のスキャナーユニット）
６２、８２        キャリッジ
６３              ガイド軸
６５              駆動ベルト
６７ａ、６７ｂ    レール部
７０              光源
７１              ミラー
７３              集光レンズ
７５              ＣＣＤセンサー
７７              規制部
８０              第１摺動突部
８１              スキャナーユニット（第２のスキャナーユニット）
８３              第２摺動突部
８５              コイルバネ（付勢部材）
１００            画像形成装置
【図１】
2013236304.tif 000003
【図２】
2013236304.tif 000004
【図３】
2013236304.tif 000005
【図４】
2013236304.tif 000006
【図５】
2013236304.tif 000007
【図６】
2013236304.tif 000008
【図７】
2013236304.tif 000009
【図８】
2013236304.tif 000010
【図９】
2013236304.tif 000011
【図１０】
2013236304.tif 000012
【図１１】
2013236304.tif 000013
【図１２】
2013236304.tif 000014